(57)【要約】【課題】  なるべく美観を損なうことなく室外から室内により容易に配線を引き込むことが可能な構造を得る。【解決手段】  配管穴用カバー３は、配管１３を挿通させる貫通口１４が形成された天板部１２と、天板部１２の周縁に立設された外周板部１５と、を備え、外周板部１５に、配管穴２を挿通させた配線４を導出する配線導出口１７を設けた。【選択図】      図２
2006118579.tif 000002
【特許請求の範囲】
【請求項１】
壁に設けられた配管穴の開口部を覆う配管穴用カバーを含む配管穴被覆構造であって、
前記配管穴用カバーは、
前記配管を挿通させる貫通口が形成された天板部と、
前記天板部の周縁に立設された外周板部と、
を備え、
前記外周板部に、配管穴内を挿通させた配線を導出する配線導出口を設けたことを特徴とする配管穴被覆構造。
【請求項２】
前記配管穴用カバーは、天板部の貫通口の周縁部から前記外周板部と同方向に立設され、配管穴または配管穴に取り付けられた部材の筒状部分の内面に嵌挿される内周板部を備え、
この内周板部に、前記配線を挿通可能な挿通口を設けたことを特徴とする請求項１に記載の配管穴被覆構造。
【請求項３】
配管穴に装着され、前記内周板部を内嵌させる筒状部分を有するブッシュを含み、
前記筒状部分に、前記配線を挿通可能な第二の挿通口を設けたことを特徴とする請求項２に記載の配管穴被覆構造。
【請求項４】
前記配管穴用カバーを複数の分割体によって構成し、
少なくともいずれか一つの分割体の結合境界となる端縁に切欠を設け、その切欠によって前記貫通口が形成されるようにしたことを特徴とする請求項１〜３のうちいずれか一つに記載の配管穴被覆構造。
【請求項５】
前記配管穴内で配線を被覆する配線カバーを設けたことを特徴とする請求項１〜４のうちいずれか一つに記載の配管穴被覆構造。
【発明の詳細な説明】
【技術分野】
【０００１】
本発明は、壁に設けられた配管穴の開口部を覆う配管穴被覆構造に関する。
【背景技術】
【０００２】
従来、光ファイバ等の配線を室外から室内に引き込む場合、壁に配線専用の穴を設け、この穴に配線を挿通するようにしていた。このとき、壁の内側および外側を被覆するカバーが提案されている（特許文献１）。
【特許文献１】特開２００４−１２５８７３号公報
【発明の開示】
【発明が解決しようとする課題】
【０００３】
しかしながら、上記従来技術では、壁に配線穴を設ける分、手間がかかる上、費用が嵩むという問題があった。
【０００４】
また、特に、配線が光ファイバケーブルである場合には、他の金属配線等に比べると最小曲げ半径が大きいため、配線穴の開口部付近では壁に沿って折り曲げることができず、光ファイバが室内側に湾曲して突出し、見栄えが悪くなってしまう場合があった。
【０００５】
そこで、本発明は、なるべく美観を損なうことなく室外から室内により容易に配線を引き込むことが可能な構造を得ることを目的とする。
【課題を解決するための手段】
【０００６】
請求項１の発明にあっては、壁に設けられた配管穴の開口部を覆う配管穴用カバーを含む配管穴被覆構造であって、上記配管穴用カバーは、上記配管を挿通させる貫通口が形成された天板部と、上記天板部の周縁に立設された外周板部と、を備え、上記外周板部に、配管穴内を挿通させた配線を導出する配線導出口を設けたことを特徴とする。
【０００７】
請求項２の発明にあっては、上記配管穴用カバーは、天板部の貫通口の周縁部から上記外周板部と同方向に立設され、配管穴または配管穴に取り付けられた部材の筒状部分の内面に嵌挿される内周板部を備え、この内周板部に、上記配線を挿通可能な挿通口を設けたことを特徴とする。
【０００８】
請求項３の発明にあっては、配管穴に装着され、上記内周板部を内嵌させる筒状部分を有するブッシュを含み、上記筒状部分に、上記配線を挿通可能な第二の挿通口を設けたことを特徴とする。
【０００９】
請求項４の発明にあっては、上記配管穴用カバーを複数の分割体によって構成し、少なくともいずれか一つの分割体の結合境界となる端縁に切欠を設け、その切欠によって上記貫通口が形成されるようにしたことを特徴とする。
【００１０】
請求項５の発明にあっては、上記配管穴内で配線を被覆する配線カバーを設けたことを特徴とする。
【発明の効果】
【００１１】
請求項１の発明によれば、エアコン等の配管穴内に配線を挿通したため、壁に配線専用の穴を設ける必要がなく、その分、施工の手間を省きかつ費用を安くすることができる。また、配管穴用カバーの外周板部に配線導出口を設けたため、天板部に配線導出口を設けた場合に比べて見栄えを良くすることができる。
【００１２】
請求項２の発明によれば、配管穴用カバーに、配管穴または配管穴に取り付けられた部材の筒状部分の内面に嵌挿される内周板部を設けたため、配管穴用カバーをより容易に取り付けることができる。また、この内周板部に配線用の挿通口を設けたため、配管穴に挿通された配線を内周板部の外側により容易に導出することができる。
【００１３】
請求項３の発明によれば、配管穴に内周板部を内嵌させる筒状部分を有するブッシュを設けたため、配管穴用カバーをさらに容易にかつより確実に取り付けることができる。また、筒状部分に配線用の第二の挿通口を設けたため、配管穴に挿通された配線を内周板部の外側により確実に導出することができる。
【００１４】
請求項４の発明によれば、配管穴用カバーを複数の分割体によって構成し、分割体の結合境界となる端縁に設けた切欠によって貫通口を形成するようにしたため、配管穴に既に配管が挿通された状態でも、配管穴用カバーを容易に取り付けることができる。
【００１５】
請求項５の発明によれば、上記配管穴内で配線を被覆する配線カバーを設けたため、配線の損傷を抑制することができる。
【発明を実施するための最良の形態】
【００１６】
以下、本発明の実施形態について図面を参照しながら詳細に説明する。図１は、壁に設けた配管穴に配管を挿通した部分の外観図（斜視図）、図２は、壁に設けた配管穴にエアコン用の配管を挿通した部分の断面図、図３は、本実施形態にかかる配管穴用カバーを示す図（（ａ）：側面図、（ｂ）：裏面からみた図）、図４は、本実施形態にかかる配管穴用のブッシュを示す図（（ａ）：正面側（室内側）から見た図、（ｂ）：側面図）、また、図５は、配管穴用カバーとブッシュとを示す斜視図である。なお、この明細書で壁とは、部屋を仕切る側壁のみを意味するものではなく、天井や床も含むものとする。ただし、図１および図２では、側壁としての壁に本実施形態にかかる配管穴被覆構造を適用した場合を例示している。また、配管としては、具体的には、例えばエアコン等の空調機器用のパイプやホース等があるが、これに限定されるものではない。
【００１７】
壁１に設けられた配管穴２の室内側の開口部は、配管穴用カバー３で被覆されており、この配管穴用カバー３により、配管穴２の開口部や内部が隠蔽されている。また、この配管穴２には、光ファイバケーブル等の配線４が挿通されており、この配線４は配管穴用カバー３の外周板部１５に設けた配線導出口１７から室内側に導出されている。なお、配管１３の挿通部分２１は、断熱用のパテ（図示せず）で埋められる。
【００１８】
ここで、配線４は、配管穴２（挿通部分２１）内において、例えば樹脂製のチューブやモール等からなる配線カバー２３で被覆し、施工時等における損傷を抑制するのが好適である。この配線カバー２３は、帯状のカバー体を螺旋状に巻回したものとしたり、室内側と室外側とで分割して形成したり、あるいは長手方向に切り込みを入れておいたりして、配管１３や配線４の施工時等により容易に着脱できるようにしておくのが好適である。
【００１９】
配管穴２には、室外側からはフランジ付きのスリーブ６が挿入され、室内側からはカバー７が挿入され、これらスリーブ６とカバー７が配管穴２内で嵌合される。
【００２０】
そして、このスリーブ６内に、室内側から筒状のブッシュ８が嵌装される。このブッシュ８は、樹脂等によって略円筒状に成形されており、軸方向の中途位置から一定幅で径方向外側に張り出すフランジ９が設けられている。このフランジ９の端面（壁１側の端面）が壁１やカバー７等（本実施形態ではカバー７）の室内側の面に当接し、これによりブッシュ８が軸方向に位置決めされる。
【００２１】
また、ブッシュ８は、装着した状態で、筒状部分１０ａ（１０）が室内側に突出するようになっており、この室内側の筒状部分１０ａに、配線４を挿通可能な切欠１１が形成されている（この切欠１１が、第二の挿通口に相当する。）。このように筒状部分１０ａを室内側に突設させることで、配管穴用カバー３の天板部１２によって配線４が押されて損傷したり断線したりするのが抑制される。
【００２２】
さらに、ブッシュ８は、軸方向に沿う切り込み２４で分離され、拡開できるようになっており、配管１３の施行後であっても、配管１３の径方向外側から囲むようにして切り込み２４の端面同士を突き合わせ、配管１３が筒状部分１０を挿通する状態を構築することができるようにしてある。なお、ブッシュ８を複数の分割体から構成して、これらを合体させるようにしても、同様の効果が得られる。
【００２３】
配管穴用カバー３は、樹脂等で成形されており、配管１３を挿通する略円形の貫通口１４が形成された円板状の天板部１２と、天板部１２の周縁から一方側（壁１側）に向けて天板部１２と略垂直に立設される略円筒状の外周板部１５と、貫通口１４の周縁から外周板部１５と同方向に立設される略円筒状の内周板部１６とを有している。
【００２４】
内周板部１６は、室内側からブッシュ８の筒状部分１０内に嵌挿され、これにより配管穴用カバー３が固定される。また、外周板部１５の端部が壁１やカバー７等（本実施形態では壁１）の室内側の面に当接し、これにより配管穴用カバー３が軸方向に位置決めされる。
【００２５】
また、内周板部１６には、スリット状の切欠２０が形成されており、この切欠２０を配線４が挿通できるようにしてある（この切欠２０が、第一の挿通口に相当する。）。この切欠２０は、周方向に分散して（例えば上下左右に４箇所、４５°おきに８箇所等）複数配置され、内周板部１６の内側から外側に好適な角度で配線４を導出できるようにしてある。
【００２６】
ここで、ブッシュ８に配管穴用カバー３を装着したとき、ブッシュ８の切欠１１と配管穴用カバー３の切欠２０とが重なるように周方向に位置合わせすれば、天板部１２とフランジ９とが近接配置されても、これら切欠１１と切欠２０とが重なる領域を配線４を導出する挿通口として確保することができる。一方、壁１やカバー７等、被取り付け部分の形状等により、天板部１２とフランジ９とがある程度離間して配置される場合には、特に周方向に位置合わせを行わなくても、配線４は少なくとも切欠２０を挿通することができる。
【００２７】
一方、外周板部１５には、配線導出口１７が形成され、この配線導出口１７から、配線４が室内側に導出されるようになっている。この配線導出口１７は、外周板部１５の端部に切欠として形成することができる。この場合、外周板部１５に、切欠の端縁となる切り込みや薄肉部等の脆弱部を設けておき、指先あるいはドライバ等の工具によって力を加えることで、当該切欠が出現するようにしてもよい。さらに、この切り込みや脆弱部を、外周板部１５の周方向に分散して（例えば上下左右に４箇所、４５°おきに８箇所等；図５では上下２箇所）複数配置しておけば、選択的に好適な位置のみに配線導出口１７を形成し、好適な角度方向に配線４を導出できるようになる。
【００２８】
さらに、本実施形態では、配管穴用カバー３を、複数の分割体を結合して構成するようにしている。具体的には、図３の（ｂ）に示すように、正面視で略半円環状の二つの分割体３ａ，３ｂを、直線状の結合境界１８に形成した半円状の切欠１４ａ，１４ｂ同士が対向するように突き合わせ、天板部１２の裏面側（壁１側）に設けた係合機構１９（ピン状突起部１９ａとそれを嵌挿する小孔１９ｂが形成されたアーム１９ｃ）により、結合するようにしている。これにより、配管１３の施行後であっても、分割体３ａ，３ｂを配管１３の径方向外側から囲むようにして突き合わせ、これらを結合させることで、配管１３が貫通口１４を挿通する状態を構築することができる。
【００２９】
そして、この切欠１４ａ，１４ｂについても、当初から切り欠いておくのではなく、天板部１２に連接する板状部分として構成しておき、切欠１４ａ，１４ｂの端縁となる部分（すなわち内周板部１６の内側端縁）に切り込みや薄肉部等の脆弱部を設けておき、指先あるいはドライバ等の工具によって力を加えることで、当該切欠１４ａ，１４ｂが出現するようにしてもよい。
【００３０】
かかる構成において、図２に示すように、室内側と室外側とを結ぶ配管１３は、配管穴２に装着されたスリーブ６、カバー７、ブッシュ８、および配管穴用カバー３（の内周板部１６）の内側の挿通部分２１を挿通する。
【００３１】
一方、配線４は、室外側からこの挿通部分２１に導入され、当該挿通部分２１から上記切欠２０または切欠１１を経由して、配管穴用カバー３の天板部１２の裏面側（壁１側）の内周板部１６と外周板部１５とで囲まれる環状空間２２内に導出され、当該環状空間２２から配線導出口１７を経由して、室内に導出される。この環状空間２２には、配線４の余長部分を収容することができる。さらに、外周板部１５と内周板部１６との間隔をある程度広く（好適には配線４の構造上あるいは性能上の最小（許容）曲げ半径以上に）しておけば、この環状空間２２で配線４を曲げることができ、内周板部１６から環状空間２２内への配線４の導出位置や方向によらず、所期の配線導出口１７から所期の方向に配線４を導出することができる。
【００３２】
以上説明したように、本実施形態によれば、配管穴２内に配線４を挿通させたため、壁１に配線専用の穴を設ける必要がなく、その分、施工の手間を省きかつ費用を安くすることができる。また、外周板部１５に配線導出口１７を設けたため、天板部１２に配線導出口１７を設けた場合に比べて見栄えを良くすることができる。
【００３３】
また、本実施形態によれば、配管穴用カバー３に、配管穴２または配管穴２に取り付けられるブッシュ８の筒状部分１０に嵌挿される内周板部１６を設けたため、配管穴用カバー３をより容易に取り付けることができる。また、この内周板部１６に切欠２０を設けたため、配管穴２に挿通された配線４を内周板部１６の外側により容易に導出することができる。
【００３４】
また、本実施形態によれば、配管穴２に内周板部１６を内嵌させる筒状部分１０を有するブッシュ８を設けたため、配管穴用カバー３をさらに容易にかつより確実に取り付けることができる。また、筒状部分１０ａ（１０）に切欠１１を設けたため、配管穴２に挿通された配線４を内周板部１６の外側により確実に導出することができる。
【００３５】
また、本実施形態によれば、配管穴用カバー３を複数の分割体３ａ，３ｂによって構成し、分割体３ａ，３ｂの結合境界１８となる端縁に設けた切欠１４ａ，１４ｂによって貫通口１４を形成するようにしたため、配管穴２に既に配管１３が挿通された状態でも、配管穴用カバー３を容易に取り付けることができる。
【００３６】
また、本実施形態によれば、配管穴２内で配線４を被覆する配線カバー２３を設けたため、配線４の損傷を抑制することができる。
【００３７】
以上、本発明の好適な実施形態について説明したが、本発明は上記実施形態に限定されるものではなく、要旨を逸脱しない範囲で上記実施形態に種々の改変を施すことができる。例えば、配管穴用カバーを、ブッシュを用いず、例えばねじ等で装着する場合にも、外周板部に設けた配線導出口から配線を導出することができる。また、スリーブやカバー等の構成も、上記実施形態に限定されるものではなく、種々の形態を採用しうる。
【図面の簡単な説明】
【００３８】
【図１】壁に設けた配管穴に配管を挿通した部分の外観図（斜視図）。
【図２】壁に設けた配管穴にエアコン用の配管を挿通した部分の断面図。
【図３】本発明の実施形態にかかる配管穴用カバーを示す図（（ａ）：側面図、（ｂ）：裏面側（壁側）から見た図）。
【図４】本発明の実施形態にかかる配管穴用ブッシュを示す図（（ａ）：正面側（室内側）から見た図、（ｂ）：側面図）。
【図５】本発明の実施形態にかかる配管穴用カバーと配管穴用ブッシュとを示す斜視図。
【符号の説明】
【００３９】
１  壁
２  配管穴
３  配管穴用カバー
３ａ，３ｂ  分割体
４  配線
８  ブッシュ
１０ａ  筒状部分
１１  切欠（第二の挿通口）
１２  天板部
１３  配管
１４  貫通口
１４ａ，１４ｂ  切欠
１５  外周板部
１６  内周板部
１７  配線導出口
１８  結合境界
２０  切欠（第一の挿通口）
２３  配線カバー
【図１】
2006118579.tif 000003
【図２】
2006118579.tif 000004
【図３】
2006118579.tif 000005
【図４】
2006118579.tif 000006
【図５】
2006118579.tif 000007